(57)【要約】      （修正有）【課題】ワームや生餌などのエサを取り付けたり、取り付けなかったりするなど、様々な仕様態様を選択することができる餌木を提供する。【解決手段】餌木１１は、餌木本体１２と、餌木本体１２の前端側に配置されたライン接続部１３と、餌木本体１２の後端側に配置された針１８と、固定用線材１４とフック１５とを備える。固定用線材１４は、その前端が餌木本体１２の前端側に固定され、フック１５は、固定用線材１４の後端側を着脱可能に係止する。【選択図】図１
0003231545.tif 000002
【実用新案登録請求の範囲】
【請求項１】
餌木本体と、前記餌木本体の前端側に配置されたライン接続部と、餌木本体の後端側に配置された針とを備えた餌木において、
固定用線材とフックとを備え、
前記固定用線材は、その前端が前記餌木本体の前端側に固定され、
前記フックは、前記固定用線材の後端側を着脱可能に係止するよう構成されたことを特徴とする餌木。
【請求項２】
前記固定用線材は、その前記餌木本体の前端側から、前記餌木本体の上方を後方に向けて伸びるものであり、
前記固定用線材は、弾性変形することによりその後端側が、前記餌木本体の中程の上部に配置された前記フックに係止されるものであることを特徴とする請求項１に記載の餌木。
【請求項３】
前記固定用線材にワームを取り付けた使用態様と、前記フック又は前記固定用線材に生餌を取り付けた使用態様と、前記固定用線材にワームを取り付けると共に前記フックに生餌を取り付けた使用態様と、前記固定用線材と前記フックには前記ワームと前記生餌を取り付けない使用態様との４種類の使用態様を採ることができるように構成されたことを特徴とする請求項１又は２に記載の餌木。
【請求項４】
エサを固定するためのエサ固定機構を備えたことを特徴とする請求項１〜３の何れかに記載の餌木。
【請求項５】
前記エサ固定機構は、前記餌木本体の背面の餌すべりどめ部を含むことを特徴とする請求項４に記載の餌木。
【請求項６】
前記エサ固定機構は、前記餌木本体の底面にあるゴム用滑り止めの凹部または凸部を含むことを特徴とする請求項４又は５に記載の餌木。
【考案の詳細な説明】
【技術分野】
【０００１】
本考案は、餌木に関するものである。
【背景技術】
【０００２】
特許文献１〜３に示すように、餌木はタコやイカを釣る場合に用いられる。また釣り人によっては、釣果を上げるために、餌木にワームや生餌を取り付けて釣りを行う場合もある。例えば、生餌を取り付ける場合には、生餌を餌木本体に乗せて、輪ゴムなどで取り付けることが行われるが、釣りを行っているうちにワームや生餌が餌木本体の後方へずれてしまうことがある。取り付け位置がずれてしまうと、ワームや生餌が外れやすくなってしまったり、餌木本体の後端に設けられた針を隠してしまったりすることがある。
【先行技術文献】
【特許文献】
【０００３】
【特許文献１】特開２０１３−１５３７１１号公報
【特許文献２】特開２０１１−９２０３７号公報
【特許文献３】特開２００３−６１５１７号公報
【考案の概要】
【考案が解決しようとする課題】
【０００４】
本考案は、ワームや生餌を取り付けたり、取り付けなかったりするなど、様々な仕様態様を選択することができる餌木の提供を図ることを課題とする。
また、本考案は、ワームや生餌を取り付けた場合に、取り付け位置の安定を図ることができる餌木の提供を図ることを課題とする。
【課題を解決するための手段】
【０００５】
本考案は、餌木本体と、前記餌木本体の前端側に配置されたライン接続部と、餌木本体の後端側に配置された針とを備えた餌木において、固定用線材とフックとを備え、前記固定用線材は、その前端が前記餌木本体の前端側に固定され、前記フックは、前記固定用線材の後端側を着脱可能に係止するよう構成されたことを特徴とする餌木を提供する。
前記固定用線材は、その前記餌木本体の前端側から、前記餌木本体の上方を後方に向けて伸びるものであり、
前記固定用線材は、弾性変形することによりその後端側が、前記餌木本体の中程の上部に配置された前記フックに係止されるものとすることができる。
前記固定用線材にワームを取り付けた使用態様と、前記フック又は前記固定用線材に生餌を取り付けた使用態様と、前記固定用線材にワームを取り付けると共に前記フックに生餌を取り付けた使用態様と、前記固定用線材と前記フックには前記ワームと前記生餌を取り付けない使用態様との４種類の使用態様を採ることができる。
本考案は、エサを固定するためのエサ固定機構を備えたものとして実施することができる。前記エサ固定機構は、前記餌木本体の背面の餌すべりどめ部を含むものとすることができる。また、前記エサ固定機構は、前記餌木本体の底面にあるゴム用滑り止めの凹部または凸部を含むものとすることができる。
【考案の効果】
【０００６】
本考案は、ワームや生餌を取り付けたり、取り付けなかったりするなど、様々な仕様態様を選択することができる餌木の提供を図ることができたものである。
また、本考案は、ワームや生餌を取り付けた場合に、取り付け位置の安定を図ることができる餌木の提供を図ることができたものである。
【図面の簡単な説明】
【０００７】
【図１】本考案の実施の形態に係る餌木の側面図
【図２】同餌木の使用状態の側面図
【考案を実施するための形態】
【０００８】
以下、図面を参照しながら本考案の実施の形態について説明す
（基本構造）
この実施の形態にかかる餌木１１は、餌木本体１２と、餌木本体１２の前端側に取り付けられたライン接続部１３と、餌木本体１２の後端側に取り付けられた針１８とを備える。ライン接続部１３には釣り糸（図示せず）がスナップ（図示せず）などを介して接続される。また必要に応じて錘１９を下部の底面に取り付けることもできる。以上の基本構造は、従来の餌木と同様であり、種々変更して実施することができ
【０００９】
（特徴的構造）
この餌木１１の餌木本体１２は、固定用線材１４とフック１５を備える。固定用線材１４はワーム２１や生餌３１を突き刺して固定することができるようにしたもので、固定用線材１４の前端側は餌木本体１２の前端側に固定されている。
フック１５は固定用線材１４の後端側を着脱可能に係止することができるようにしたもので、この実施の形態では、餌木本体１２の中程の上部の背面に設けられている。具体的には、基端が餌木本体１２に固定されたフック１５は、上方に伸びており、その先端が下方に屈曲した逆丁字状をなした係止部分１６を構成している。この係止部分１６の屈曲した先端は、三角トップとして尖らせておくことで、生餌３１を差し易く、外れ難いものとすることが望ましい。
固定用線材１４は、その前端側から斜め後方に向けて伸びているもので、自然状態ではフック１５の少し上方に達するまで少なくとも伸びている。これによって、固定用線材１４を弾性変形させて係止部分１６に係止させることができる。
また必要に応じて輪ゴム止め１７を下部の底面に取り付けることもでき
【００１０】
（第１の使用態様）
この実施の形態の餌木１１は、４種類の使用態様で使用できる。
第１の態様は、餌木１１のみで使用するものであり、一般的な餌木と同様に使用することができ
【００１１】
（第２の使用態様）
第２の態様は、餌木１１にワーム２１をセットして使用するものである。ワーム２１は、一般的なワームを適宜選択して用いることができるが、特に、ゴムや軟質の合成樹脂製でその前後方向に挿通孔２２を備えたものを、好適に用いることができる。使用に際しては、ワーム２１の挿通孔２２に餌木１１の固定用線材１４を通して、固定用線材１４の後端側をフック１５の係止部分１６に係止する。これによって、餌木１１にワーム２１を加えた状態で使用することができるものであり、特に餌木１１の上部に搭載されたワーム２１は、フック１５よりも後方にずれることがないため、後端に取り付けた針１８に獲物が掛かることを妨げることがな
【００１２】
（第３の使用態様）
第３の態様は、生餌３１（エサ）を餌木１１と併用するものである。例えばタコ釣りの場合、鶏の皮・ブタの背脂、サーモンハラスなどの生餌３１等々の獲物が食べるエサが、用いられる場合は、この生餌３１を餌木１１に固定して実施することができる。具体的には、生餌３１に固定用線材１４やフック１５を突き刺して、固定用線材１４をフック１５の係止部分１６に係止する。これによって、餌木１１の上部に生餌３１を取り付けて使用することができるものであり、特に餌木１１の上部に搭載された生餌３１は、フック１５によって位置決めされることで後方にずれることがないため、後端に取り付けた針１８に獲物が掛かることを妨げることがない。餌木本体１２は、フック１５より後方の上部を平坦面となるフラット部２０（より好ましくは、小さな凹凸などが設けられた餌すべりどめ部）とすることで、上部に生餌３１を乗せ易くずれ難くなるため有利である。必要に応じて、輪ゴム止め１７等の凹部や凸部によって構成されたゴム用滑り止部を利用して、輪ゴム３２による固定を併用しても構わな
【００１３】
（第４の使用態様）
第３の態様は、ワーム２１と生餌３１とを、餌木１１と併用するものである。この場合、ワーム２１は、第２の態様と同じようにして、固定用線材１４によって固定される。その際、生餌３１はフック１５を突き刺して、固定用線材１４をフック１５の係止部分１６に係止する。これによって、餌木１１の前寄りの上部にワーム２１が取り付けられ、餌木１１の後ろ寄りの上部に生餌３１が取り付けられる。餌木１１の上部に搭載されたワーム２１並びに生餌３１は、フック１５によって位置決めされることで後方にずれることがないため、後端に取り付けた針１８に獲物が掛かることを妨げることがない。必要に応じて、従来のように輪ゴムによる固定を併用しても構わない。
【符号の説明】
【００１４】
１１  餌木
１２  餌木本体
１３  ライン接続部
１４  固定用線材
１５  フック
１６  係止部分
１７  輪ゴム止め
１８  針
１９  錘
２０  フラット部
２１  ワーム
２２  挿通孔
３１  生餌
３２  輪ゴム
【図１】
0003231545.tif 000003
【図２】
0003231545.tif 000004
【手続補正書】
【提出日】令和2年12月11日(2020.12.11)
【手続補正１】
【補正対象書類名】明細書
【補正対象項目名】全文
【補正方法】変更
【補正の内容】
【考案の詳細な説明】
【技術分野】
【０００１】
本考案は、餌木に関するものである。
【背景技術】
【０００２】
特許文献１〜３に示すように、餌木はタコやイカを釣る場合に用いられる。また釣り人によっては、釣果を上げるために、餌木にワームや生餌を取り付けて釣りを行う場合もある。例えば、生餌を取り付ける場合には、生餌を餌木本体に乗せて、輪ゴムなどで取り付けることが行われるが、釣りを行っているうちにワームや生餌が餌木本体の後方へずれてしまうことがある。取り付け位置がずれてしまうと、ワームや生餌が外れやすくなってしまったり、餌木本体の後端に設けられた針を隠してしまったりすることがある。
【先行技術文献】
【特許文献】
【０００３】
【特許文献１】特開２０１３−１５３７１１号公報
【特許文献２】特開２０１１−９２０３７号公報
【特許文献３】特開２００３−６１５１７号公報
【考案の概要】
【考案が解決しようとする課題】
【０００４】
本考案は、ワームや生餌を取り付けたり、取り付けなかったりするなど、様々な仕様態様を選択することができる餌木の提供を図ることを課題とする。
また、本考案は、ワームや生餌を取り付けた場合に、取り付け位置の安定を図ることができる餌木の提供を図ることを課題とする。
【課題を解決するための手段】
【０００５】
本考案は、餌木本体と、前記餌木本体の前端側に配置されたライン接続部と、餌木本体の後端側に配置された針とを備えた餌木において、固定用線材とフックとを備え、前記固定用線材は、その前端が前記餌木本体の前端側に固定され、前記フックは、前記固定用線材の後端側を着脱可能に係止するよう構成されたことを特徴とする餌木を提供する。
前記固定用線材は、その前記餌木本体の前端側から、前記餌木本体の上方を後方に向けて伸びるものであり、
前記固定用線材は、弾性変形することによりその後端側が、前記餌木本体の中程の上部に配置された前記フックに係止されるものとすることができる。
前記固定用線材にワームを取り付けた使用態様と、前記フック又は前記固定用線材に生餌を取り付けた使用態様と、前記固定用線材にワームを取り付けると共に前記フックに生餌を取り付けた使用態様と、前記固定用線材と前記フックには前記ワームと前記生餌を取り付けない使用態様との４種類の使用態様を採ることができる。
本考案は、エサを固定するためのエサ固定機構を備えたものとして実施することができる。前記エサ固定機構は、前記餌木本体の背面の餌すべりどめ部を含むものとすることができる。また、前記エサ固定機構は、前記餌木本体の底面にあるゴム用滑り止めの凹部または凸部を含むものとすることができる。
【考案の効果】
【０００６】
本考案は、ワームや生餌を取り付けたり、取り付けなかったりするなど、様々な仕様態様を選択することができる餌木の提供を図ることができたものである。
また、本考案は、ワームや生餌を取り付けた場合に、取り付け位置の安定を図ることができる餌木の提供を図ることができたものである。
【図面の簡単な説明】
【０００７】
【図１】本考案の実施の形態に係る餌木の側面図
【図２】同餌木の使用状態の側面図
【考案を実施するための形態】
【０００８】
以下、図面を参照しながら本考案の実施の形態について説明する。
（基本構造）
この実施の形態にかかる餌木１１は、餌木本体１２と、餌木本体１２の前端側に取り付けられたライン接続部１３と、餌木本体１２の後端側に取り付けられた針１８とを備える。ライン接続部１３には釣り糸（図示せず）がスナップ（図示せず）などを介して接続される。また必要に応じて錘１９を下部の底面に取り付けることもできる。以上の基本構造は、従来の餌木と同様であり、種々変更して実施することができる。
【０００９】
（特徴的構造）
この餌木１１の餌木本体１２は、固定用線材１４とフック１５を備える。固定用線材１４はワーム２１や生餌３１を突き刺して固定することができるようにしたもので、固定用線材１４の前端側は餌木本体１２の前端側に固定されている。
フック１５は固定用線材１４の後端側を着脱可能に係止することができるようにしたもので、この実施の形態では、餌木本体１２の中程の上部の背面に設けられている。具体的には、基端が餌木本体１２に固定されたフック１５は、上方に伸びており、その先端が下方に屈曲した逆丁字状をなした係止部分１６を構成している。この係止部分１６の屈曲した先端は、三角トップとして尖らせておくことで、生餌３１を差し易く、外れ難いものとすることが望ましい。
固定用線材１４は、その前端側から斜め後方に向けて伸びているもので、自然状態ではフック１５の少し上方に達するまで少なくとも伸びている。これによって、固定用線材１４を弾性変形させて係止部分１６に係止させることができる。
また必要に応じて輪ゴム止め１７を下部の底面に取り付けることもできる。
【００１０】
（第１の使用態様）
この実施の形態の餌木１１は、４種類の使用態様で使用できる。
第１の態様は、餌木１１のみで使用するものであり、一般的な餌木と同様に使用することができる。
【００１１】
（第２の使用態様）
第２の態様は、餌木１１にワーム２１をセットして使用するものである。ワーム２１は、一般的なワームを適宜選択して用いることができるが、特に、ゴムや軟質の合成樹脂製でその前後方向に挿通孔２２を備えたものを、好適に用いることができる。使用に際しては、ワーム２１の挿通孔２２に餌木１１の固定用線材１４を通して、固定用線材１４の後端側をフック１５の係止部分１６に係止する。これによって、餌木１１にワーム２１を加えた状態で使用することができるものであり、特に餌木１１の上部に搭載されたワーム２１は、フック１５よりも後方にずれることがないため、後端に取り付けた針１８に獲物が掛かることを妨げることがない。
【００１２】
（第３の使用態様）
第３の態様は、生餌３１（エサ）を餌木１１と併用するものである。例えばタコ釣りの場合、鶏の皮・ブタの背脂、サーモンハラスなどの生餌３１等々の獲物が食べるエサが、用いられる場合は、この生餌３１を餌木１１に固定して実施することができる。具体的には、生餌３１に固定用線材１４やフック１５を突き刺して、固定用線材１４をフック１５の係止部分１６に係止する。これによって、餌木１１の上部に生餌３１を取り付けて使用することができるものであり、特に餌木１１の上部に搭載された生餌３１は、フック１５によって位置決めされることで後方にずれることがないため、後端に取り付けた針１８に獲物が掛かることを妨げることがない。餌木本体１２は、フック１５より後方の上部を平坦面となるフラット部２０（より好ましくは、小さな凹凸などが設けられた餌すべりどめ部）とすることで、上部に生餌３１を乗せ易くずれ難くなるため有利である。必要に応じて、輪ゴム止め１７等の凹部や凸部によって構成されたゴム用滑り止部を利用して、輪ゴム３２による固定を併用しても構わない。
【００１３】
（第４の使用態様）
第３の態様は、ワーム２１と生餌３１とを、餌木１１と併用するものである。この場合、ワーム２１は、第２の態様と同じようにして、固定用線材１４によって固定される。その際、生餌３１はフック１５を突き刺して、固定用線材１４をフック１５の係止部分１６に係止する。これによって、餌木１１の前寄りの上部にワーム２１が取り付けられ、餌木１１の後ろ寄りの上部に生餌３１が取り付けられる。餌木１１の上部に搭載されたワーム２１並びに生餌３１は、フック１５によって位置決めされることで後方にずれることがないため、後端に取り付けた針１８に獲物が掛かることを妨げることがない。必要に応じて、従来のように輪ゴムによる固定を併用しても構わない。
【符号の説明】
【００１４】
１１  餌木
１２  餌木本体
１３  ライン接続部
１４  固定用線材
１５  フック
１６  係止部分
１７  輪ゴム止め
１８  針
１９  錘
２０  フラット部
２１  ワーム
２２  挿通孔
３１  生餌
３２  輪ゴム
【手続補正書】
【提出日】令和3年2月5日(2021.2.5)
【手続補正１】
【補正対象書類名】実用新案登録請求の範囲
【補正対象項目名】全文
【補正方法】変更
【補正の内容】
【実用新案登録請求の範囲】
【請求項１】
餌木本体と、前記餌木本体の前端側に配置されたライン接続部と、餌木本体の後端側に配置された針とを備えた餌木において、
固定用線材とフックとを備え、
前記固定用線材は、その前端が前記餌木本体の前端側に固定され、
前記フックは、前記固定用線材の後端側を着脱可能に係止するよう構成されたことを特徴とする餌木。
【請求項２】
前記固定用線材は、その前記餌木本体の前端側から、前記餌木本体の上方を後方に向けて伸びるものであり、
前記固定用線材は、弾性変形することによりその後端側が、前記餌木本体の中程の上部に配置された前記フックに係止されるものであることを特徴とする請求項１に記載の餌木。
【請求項３】
前記固定用線材にワームを取り付けた使用態様と、前記フック又は前記固定用線材に生餌を取り付けた使用態様と、前記固定用線材にワームを取り付けると共に前記フックに生餌を取り付けた使用態様と、前記固定用線材と前記フックには前記ワームと前記生餌を取り付けない使用態様との４種類の使用態様を採ることができるように構成されたことを特徴とする請求項１又は２に記載の餌木。
【請求項４】
エサを固定するためのエサ固定機構を備え、
前記エサ固定機構は、前記餌木本体の背面の餌すべりどめ部と、前記餌木本体の底面にあるゴム用滑り止めの凹部または凸部との、少なくとも何れか一方を含むことを特徴とする請求項１〜３の何れかに記載の餌木。